(57)【特許請求の範囲】
【請求項１】
車体の前部の左右に配設されるフェンダパネルの間に設けられるグリルフィラパネルの取付構造において、上記グリルフィラパネルの左右端部に対向する上記左右のフェンダパネルの前面の端部より屈曲して車両後方向に延出された折り返し面と、上記折り返し面の後端より車幅方向内側に延出されたフェンダパネル取付フランジと、上記グリルフィラパネルの車体後方側に間隔を存して形成された取付面を有し上記グリルフィラパネルの左右端部に接合されるグリルフィラパネルブラケットと、上記グリルフィラブラケットの取付面と上記フェンダパネル取付フランジとを車体前後方向で重合せしめて上記車体に取付ける取付手段とを備え、
上記のフェンダパネルの折り返し面とグリルフィラパネルの左右端部との間に間隙を存するように構成され、
上記グリルフィラパネルは、上記グリルフィラパネルの左右端部から車両後方向に屈曲された側面、又は、表面側から裏面側への縁取りを有することを特徴とする、グリルフィラパネルの取付構造。
【発明の詳細な説明】
【０００１】
【発明の属する技術分野】
本発明は自動車の車体の前部に設けられる左右のフェンダパネルとフロントバンパ上面との間に配設されるグリルフィラパネルの取付構造に関する。
【０００２】
【従来の技術】
周知のように、上記自動車のグリルフィラパネルの左右面側には、上記左右のフェンダパネルが、下面側にはフロントバンパが、上面側にはラジエータグリル等の４部品が配設されている。
上記グリルフィラパネル及び上記４部品は上記自動車の車体の前部に溶接されたブラケット等を介して上記車体側に固定される構造になっており、この取付構造に関する技術については、例えば特開平８−１６４８７１号公報がある。
【０００３】
上記特開平８−１６４８７１号公報記載の技術は、上記車体前部の左右にコ字状に構成されたブラケットの底部が上記車体の上下方向に延びるように上記車体側に溶接されている。
そして、上記ブラケットは、上記の底部の車体の上下方向に延びる一方の側縁から上記車体の前方に突設された第１支持部と、上記第１支持部の下側縁から上記車体の車幅方向に水平に延設される第２支持部と、上記ブラケットの他方側縁から上記車体の前方に突設し上記第１支持部と平行になるように設けられた第３支持部とにより構成されている。
【０００４】
又、上記車体の前部に設けられるラジエータグリルとフロントバンパとの間で、上記左右のフェンダとの間に細長く延設されるようにグリルフィラパネルが配設されている。
このグリルフィラパネルの上記車幅方向の両端部の前面より上記車体後方に屈曲せしめられた側面を有するグリルフィラ取付端面を上記第１支持部材と上記車幅方向に重合するように配設し、更にフェンダパネルの前端部の前面より上記車体後方に屈曲せしめられ上記グリルフィラ取付端面に平行に延びるように設けられたフェンダ取付端面を、上記で重合した第１支持部材とグリルフィラ取付端面との間に挿入するように配設し、上記の三者が上記車幅方向に重合するようにして、上記車幅方向よりボルトにより上記第１支持部材に設けられたウエルドナットに螺合せしめることによって締結されるようになっている。
【０００５】
又、上記フェンダパネルの前部から下方に延設された下部取付片に上記車体の前後方向に延びる長孔が設けられ上記ブラケットの第３支持部材にボルトによって固定されている。
又、上記バンパの上面取付部の取付孔の内径は段付ボルトの外径より大きく形成されており、上記上面取付部は上記第２支持部材に車体の上下方向に重合せしめられて上記段付ボルトによって水平方向に位置調整を行なって締結できるように構成されている。
【０００６】
【発明が解決しようとする課題】
しかしながら、上記したように上記車体の前後方向に延びただけの、上記のグリルフィラ取付端面とフェンダパネル取付端面の重合であるため、上記位置決めが定まらず上記車体前後方向の取付位置関係を管理することは難しく、上記のグリルフィラパネルとフェンダパネルとの隣接部位において上記両者の位置が上記前後方向にずれることにより隙間や段差が生じることがある。
【０００７】
更には、フェンダパネルの前端部やグリルフィラパネルの両端部は、例えば丸形，楕円形のヘットランプの輪郭に沿う円弧状の曲線ラインで構成されるため、上記曲線ラインにおいて上記グリルフィラパネルとフェンダパネルとの隣接部位に位置ずれが発生すると上記のラインが不連続になり、グリルフィラパネルの周辺の意匠的外観が著しく低減して商品として価値が低減する恐れがある。
【０００８】
又、上記のように塗装前において、上記のグリルフィラパネル取付端面とフェンダパネル取付端面と第１支持部材とを重合せしめてボルトによって締結して固定しているので、この状態で電着塗装しても、上記のグリルフィラパネル取付端面とフェンダパネル取付端面と第１支持部材との各間の隙間は極めて少ないため、上記電着塗装の塗料が浸入できず塗装されない部位ができる。
【０００９】
この状態で上記車両を使用していると、塗料が付着しなかった部位より錆が発生し、上記錆が前面側にでてきて美観を損ねる恐れがある。
上記従来技術の取付構造では、上記の部位に錆が発生する恐れがあるので、これを防ぐために防錆鋼板を使用しているがコスト高となっている。
又、上記したグリルフィラパネル取付端面とフェンダパネル取付端面と第１支持部材との三者を配設してボルト締めするための作業性が非常に非能率的である。
【００１０】
即ち、ヘッドランプ下側の部位の高さに取付けられる上記ブラケットの第１支持部材の車室側の側面と上記グリルフィラパネル取付端面とを重合するように組付けた後に、前端部が上記車体後方へ屈曲した上記フェンダパネル取付端面を有するフェンダパネルを上記のグリルフィラパネル取付端面と第１支持部材との間に挿入して組付けるには、上記第１支持部材の上方を乗り越えて持込み下方に移行させて、上記のグリルフィラパネル取付端面と第１支持部材との間に組付けなければならずこの組付作業は非常にやりにくく、工数と人手を要し、この組付ラインを自動化する場合にもセンサや複雑な構造となりコストが嵩むことになる。
【００１１】
本発明は、これらの課題に鑑み創案されたもので、自動車の車体の前部に設けられる左右フェンダパネルの間に配設されるグリルフィラパネルの取付構造において、上記左右のフェンダパネルの対向する前面端部より屈曲して上記自動車の後方向に延出された折り返し面の後部より車幅方向方内側に延出されたフェンダパネル取付フランジを設け、上記フェンダパネル取付フランジと重合せしめられる取付面を有し上記グリルフィラパネルの左右端部に接合されるグリルフィラパネルブラケットを設け、上記グリルフィラブラケットの取付面と上記フェンダパネル取付フランジとを重合せしめて上記取付手段により上記車体に取付け、上記取付部からの錆の発生を防止し、上記組付作業を容易にするグリルフィラパネルの取付構造を提供することを目的とする。
【００１２】
【課題を解決するための手段】
このため、請求項１記載の本発明のグリルフィラパネルの取付構造は、車体の前部の左右に配設されるフェンダパネルの間に設けられるグリルフィラパネルの取付構造において、上記グリルフィラパネルの左右端部に対向する上記左右のフェンダパネルの前面の端部より屈曲して車両後方向に延出された折り返し面と、上記折り返し面の後端より車幅方向内側に延出されたフェンダパネル取付フランジと、上記グリルフィラパネルの車体後方側に間隔を存して形成された取付面を有し上記グリルフィラパネルの左右端部に接合されるグリルフィラパネルブラケットと、上記グリルフィラブラケットの取付面と上記フェンダパネル取付フランジとを車体前後方向で重合せしめて上記車体に取付ける取付手段とを備え、上記のフェンダパネルの折り返し面とグリルフィラパネルの左右端部との間に間隙を存するように構成され、上記グリルフィラパネルは、上記グリルフィラパネルの左右端部から車両後方向に屈曲された側面、又は、表面側から裏面側への縁取りを有することを特徴としている。
従って、本発明は上記のフェンダパネルとグリルフィラパネルの上記車幅方向より容易に挿入し組付けることができ、又上記のフェンダパネルとグリルフィラパネルの車体取付部との重合部は上記の両パネルに覆われ上記車体の前側から見えない。
【００１３】
又、上記のグリルフィラパネルブラケットの取付面，フェンダパネル取付フランジ，車体側取付部の上記車体前後方向の寸法が出し易く、上記車体前後方向に重合せしめて組付けるので、上記フェンダパネルとグリルフィラパネルの前面の位置合わせが容易である。
又、本発明のグリルフィラパネルの取付構造は、上記のフェンダパネルの折り返し面とグリルフィラパネルの左右端部との間に間隙を存するので、塗料の浸入を容易にし、上記塗料の付着を容易にすることができる。
【００１４】
【発明の実施の形態】
以下、図面について本発明の実施の形態を説明する。
図１は本発明の一実施形態を示すグリルフィラパネルを備えた自動車のフロント部分の分解斜視図、図２は図１のグリルフィラパネル取付構造を示すもので（Ａ）はグリルフィラパネルが取付けられるフロントエンドを示す分解斜視図、（Ｂ）は図２（Ａ）の２Ｂ部を拡大したフェンダパネル前面端部を示す概略斜視図、図３は図２の３Ａ部を示す拡大概略説明図、図４は図２のグリルフィラパネルの説明図であり、（Ａ）は上記グリルフィラパネルを示す拡大斜視図、（Ｂ）は図４（Ａ）の変形例を示す斜視図、図５は図４のグリルフィラパネルの左側端部の拡大説明図であり、（Ａ）は上記左側端部を示す概略平面図、（Ｂ）は図５（Ａ）の５Ｂ−５Ｂ線に沿う断面を示す平面図、（Ｃ）は図５（Ａ）の上記左側端部の上記自動車の後方側に突設されるグリルフィラパネルブラケットを示す斜視図、図６は図２の６Ａ−６Ａ線に沿う水平断面を示す関係部位を組付けた状態の概略平面図である。
【００１５】
図１，図２に示したように自動車２の車体４の前部に設けられるフロントバンパ１は上記車体の車幅方向に延びるバンパ本体６とバンパ本体６の左右方向に延設されるサイドバンパ１６とから構成されている。
又、バンパ本体６は、図１，図２に示したようにバンパ本体６の両端の開口部６ｈを閉塞するようにスポット溶接された縦壁部材８の車体４の後方側縁より上記車幅方向に延びるフランジ８Ａに設けられたボルト孔８ａ，８ｂを介して車体４の左右側に前後方向に延設されるサイドメンバ２０ａ，２０ｂの前端部２１の雌ねじ部２１Ｎにボルト２２により締結される。
【００１６】
又、縦壁部材８はフランジ８Ａのボルト孔８ｃを介して車体４の左右フェンダ２４ａ，２４ｂの間に配設されたグリルフィラパネル２６の下側に突設されたフランジ２６ａの雌ねじ部２６Ｎにボルト２２により締結せしめて取付けられている。
又、上記左右のサイドバンパ１６は、図１に示したように上面フランジ３０の孔３０ａ，３０ｂを介して左右のフェンダ２４ａ，２４ｂの前端下面のフランジ３４の孔３４ａ，３４ｂにボルト２３により締結されると共に下面フランジ３６は孔３６ａを介してサイドメンバ２０ａ，２０ｂのフロントエンドに設けられるクロスメンバＣＭの下面フランジ２０ｃの雌ねじ部２０ｄにより締結せしめられている。
【００１７】
次に、グリルフィラパネル２６の詳細な取付構造を図２〜図６について説明する。
図１，図２に示したように、車両の前部の左右に設けられるフェンダパネル２４ａ（２４ｂ）の間で且つフロントバンパ１とフロントグリル５との間に設けられるグリルフィラパネル２６の取付構造において、グリルフィラパネル２６の上記左右端部に接合される上記左右のフェンダパネル２４ａ（２４ｂ）前面の端部は、図２（Ｂ）に示したように上記車体の後方に略沿い対向するように屈曲せしめられる折り返し面２４ｃを有し、上記折り返し面２４ｃの上記車体の後方部より上記車体の車幅方向内側に延出された左側のフェンダパネル取付フランジＦ１と、図示しないが右側のフェンダパネル２４ｂのフェンダパネル取付フランジＦ２を有している。
【００１８】
又、このフェンダパネル取付フランジＦ１，Ｆ２は，図２（Ｂ）に示したようにボルトを貫通せしめるための、例えば切欠きの凹部２４ｈ又はボルト孔等の貫通孔（図示しない）が設けられている。
又、図２に示したように車体２の前部に設けられる左右のランプサポートパネル６０ａ，６０ｂは、その上部を橋架するように設けられるフロントエンドバー６２がスポット溶接されると共に、左右のランプサポートパネル６０ａ，６０ｂの下部を接続し、且つ左右のサイドメンバ２０ａ，２０ｂの前端部に接続されるフロントエンドクロスメンバＣＭが設けられている。
【００１９】
又、上記のフロントエンドバー６２とフロントエンドクロスメンバＣＭを上記車幅方向の略中央で、上記車体の上下方向に橋架するようにフードロックスティ６６がスポット溶接により結合されている。
又、図２，図３に示したように左，右のランプサポートパネル６０ａ，６０ｂの左右のランプが取付けられる孔７０ａ，７０ｂの下部下側のパネル７２ａ，７２ｂの左右端部には、各々フェンダブラケット７６ａ，７６ｂがスポット溶接により結合されている。
【００２０】
又、上記のフェンダブラケット７６ａ，７６ｂ，グリルフィラパネル２６は互いに左右対称形状であり、基本的な上記取付構造は上記両者とも共通のものなので、以下、上記車両の左側のフェンダブラケット７６ａ，グリルフィラパネル２６における端部等の関係部位について説明する。
そして、図２，図３に示したようにランプサポートパネル６０ａ，６０ｂのパネル７２ａ（７２ｂ）に結合される車体側取付部ＢＴである左右のフェンダブラケット７６ａ（７６ｂ）の後面７８の上側縁から車体２の前方に略水平に延設される水平面部８０の前端縁から上方に上記車幅方向に延びグリルフィラパネル２６と対向する面を有するように構成される取付フランジ８２が設けられボルト孔８２ａを有している。
【００２１】
又、図３に示したようにフェンダブラケット７６ａ（ＢＴ）の水平面部８０の左側縁から下方向に屈曲されウエルドナット８４ａが溶接されたフェンダパネルを取付けるための取付フランジ８４が設けられ、又水平面部８０の前方の右側縁から上記車幅方向中心方向に延びるウエルドナット８６ａが設けられているバンパを取付けるための取付フランジ８６が設けられている。
【００２２】
一方、図２，図４，図５（Ａ）〜（Ｂ）に示したように、グリルフィラパネル２６は、例えば車体４の前方に対向する前面２６ａの上下側縁から車体４の後方に延設される上面２６ｂ，下面２６ｃからなる断面がコ字状に構成され左右端部から、図６に示したように車体４の後方に屈曲せしめられ側面２６ｓが設けられている。
【００２３】
この側面２６ｓはなくともよく、グリルフィラパネル２６の左右端部がクリンチ加工などにより上記端部が、単にグリルフィラパネル２６の端部を表面側から裏面側に短く丸く縁取りされるように処理されているものでもよい。
又、図４，図５（Ａ），（Ｃ）、図６に示したようにグリルフィラパネル２６の左右両端部にはグリルフィラパネル２６から後方に間隔を存して配設されウエルドナット９０Ｎが設けられた面を有するグリルフィラパネルブラケット９０，９２が設けられている。
【００２４】
そして、図５に示したように左右のグリルフィラパネルブラケット９０，９２の他の部位に取付けるための基部は、本実施形態の場合にはコ字状に形成され、上記基部の縁部から相対向するように平行に突設される側面部フランジ９０ａ，９０ｂ（９２ａ，９２ｂ）を有し、側面部フランジ９０ａはグリルフィラパネル２６の上面２６ｂと溶接され、側面部フランジ９０ｂは下面２６ｃに溶接されている。
【００２５】
又、左右のグリルフィラパネルブラケット９０，９２は、上記基部から側面部フランジ９０ａ，９０ｂ（９２ａ，９２ｂ）を延設せしめコ字状に構成しなくてもよく取付面９０ｆがグリルフィラパネル２６の裏面側から後方に間隔を存してボルトにより上記締結ができるものであれば良く、又上記取付面９０ｆにウエルドナット９０Ｎが溶接できるように構成されているものであればよい。
【００２６】
次に、上記のフェンダブラケット７６ａを使用して、グリルフィラパネル２６の左右方向の端部やフェンダパネル２４ａ（２４ｂ）及びフロントバンパ６等を組付ける手順について説明する。
図６に示した、図２の６Ａ−６Ａ線に沿う断面図のようにグリルフィラパネル２６の左右両端部に取付けられたグリルフィラパネルブラケット９０（９２）の取付面９０ｆを上記したフェンダブラケット７６ａ（７６ｂ）の取付フランジ８２に重合するように配設すると共に、上記のフェンダパネル２４ａ，２４ｂの取付フランジＦ１（Ｆ２）を上記車幅方向より挿入するようにして重合せしめ、図２，図３に示したようにランプサポート６０ａ，６０ｂのパネル７２ａ，７２ｂに設けられた工具孔６１を介して車体４の後方から挿入される取付手段９１であるボルト９１を、図５に示したようにウエルドナット９０Ｎに螺合せしめることにより締結している。
【００２７】
又、取付手段９１はグリルフィラパネルブラケット９０（９２）の取付面９０ｆにボルト９１を溶接により固着し、ボルト９１に上記各部品を上記のように重合せしめてナットにより締結するようにしてもよい。
又、上記のグリルフィラパネルブラケットの取付面９０ｆ，フェンダパネル取付フランジＦ１，Ｆ２，車体側取付部ＢＴの上記車体前後方向の寸法が合わせ易く、上記車体前後方向に重合せしめて組付けるので、上記フェンダパネル２４ａ，（２４ｂ）とグリルフィラパネル２６の前面の位置合わせが容易であり、意匠上の美観を向上することができる。
【００２８】
又、本実施形態ではグリルフィラパネルの取付構造は、グリルフィラパネル２６の後方において、グリルフィラパネル２６の上記車幅方向に平行な面を上記車体の前後方向に重合して結合するようにしたので、上記組付けの際、グリルフィラパネル２６及びフェンダパネル２４ａ（２４ｂ）のうちどちらを先に組付けても組付けることができる。
【００２９】
又、上記の組付け時にグリルフィラパネル２６の側面２６ｓとフェンダパネルの折り返し面２４ｃとの間隙は設計仕様に応じて設定される、例えば約２ｍｍを存するように配設するようにしたため、上記した電着塗装をすれば、塗料が上記間隙に浸入し必要の箇所に充分付着せしめることができ、又グリルフィラパネル２６の左右端部の側面２６ｓとフェンダパネル２４ａ，（２４ｂ）の折り返し面２４ｃとの間の接触や摺動をすることがないので、塗料の剥がれによる錆の発生を防止することができる。
【００３０】
又、上記のようにフェンダブラケット７６ａ，（７６ｂ）の取付フランジ８２とグリルフィラパネル２６のブラケット９０（９２）の取付面９０ｆとフェンダパネル取付フランジＦ１（Ｆ２）との取付け部位がグリルフィラパネル２６の前面や左右のフェンダパネル２４ａ，２４ｂの前面で覆われるので、上記取付部位に使用中の振動等により錆が発生したとしても車体４の前方から見えないため意匠上美観を損ねることがなく、高価な防錆鋼板を使用する必要がないため、コストを低減することができる。
【００３１】
又、上記グリルフィラパネル２６の車幅方向に延びる細長の一体的のものであったが、図４（Ｂ）に示したような中央部分のない左右端部分のみで構成されるものでも、上記と同様の作用効果を奏することができるものである。
【００３２】
【発明の効果】
以上詳述したように、請求項１記載の本発明のグリルフィラパネルの取付構造によれば、車体の前部の左右に配設されるフェンダパネルの間に設けられるグリルフィラパネルの取付構造において、上記グリルフィラパネルの左右端部に対向する上記左右のフェンダパネルの前面の端部より屈曲して車両後方向に延出された折り返し面と、上記折り返し面の後端より車幅方向内側に延出されたフェンダパネル取付フランジと、上記グリルフィラパネルの車体後方側に間隔を存して形成された取付面を有し上記グリルフィラパネルの左右端部に接合されるグリルフィラパネルブラケットと、上記グリルフィラブラケットの取付面と上記フェンダパネル取付フランジとを車体前後方向で重合せしめて上記車体に取付ける取付手段とを備え、上記のフェンダパネルの折り返し面とグリルフィラパネルの左右端部との間に間隙を存するように構成され、上記グリルフィラパネルは、上記グリルフィラパネルの左右端部から車両後方向に屈曲された側面、又は、表面側から裏面側への縁取りを有するので、上記のフェンダパネルとグリルフィラパネルの上記車幅方向より容易に挿入し組付けることができ、自動組付ラインに適用する場合にも複雑な構造にならずコスト廉価に製造することができると共に、生産性の向上を図ることができる。
【００３３】
上記取付部位に使用中の振動等により錆が発生したとしても車体４の前方から見えないため意匠上美観を損ねることがなく、高価な防錆鋼板を使用する必要がないため、コストを低減することができる。
又、上記のフェンダパネルとグリルフィラパネルの車体取付部との重合部は上記の両パネルに覆われ上記車体の前側から見えず、又上記取付部に錆等が発生した場合であっても上記車体前方から見えないので、美観を損なうことがない。
【００３４】
又、上記グリルフィラパネル取付構造は上記のグリルフィラパネルブラケットの取付面，フェンダパネル取付フランジ，車体側取付部の上記車体前後方向の寸法が合わせ易い構造であり、上記車体前後方向に重合せしめて組付けるので、上記フェンダパネルとグリルフィラパネルの前面との位置合わせが容易であり、意匠上の美観を向上することができる。
【００３５】
又、上記フェンダパネルの折り返し面とグリルフィラパネルの左右端部との間に間隙を存するので、塗料の浸入を容易にし上記塗料の付着を容易にすることができるので、防錆鋼板を使用しなくとも上記取付部の錆の発生を防止でき、コストを低減することができる。
【図面の簡単な説明】
【図１】本発明の一実施形態を示すもので、グリルフィラパネルを備えた自動車のフロント部分の分解斜視図である。
【図２】図１のグリルフィラパネル取付構造を示すもので、（Ａ）はグリルフィラパネルが取付けられるフロントエンドを示す分解斜視図、（Ｂ）は図２（Ａ）の２Ｂ部の拡大したフェンダパネル前面端部を示す概略斜視図である。
【図３】図２の３Ａ部の拡大したランプサポートパネルを示す概略説明図である。
【図４】図２のグリルフィラパネルの説明図であり、（Ａ）は上記グリルフィラパネルを示す拡大斜視図、（Ｂ）は図４（Ａ）の変形例を示す斜視図である。
【図５】図４のグリルフィラパネルの左端部の拡大説明図であり、（Ａ）は上記左側端部を示す概略平面図、（Ｂ）は図５（Ａ）の５Ｂ−５Ｂ線に沿う断面を示す平面図、（Ｃ）は図５（Ａ）の上記左側端部の上記自動車の後方側に突設されるグリルフィラパネルブラケットを示す斜視図である。
【図６】図２の６Ａ−６Ａ線に沿う水平断面を示す関係部位を組付けた状態の概略平面図である。
【符号の説明】
１              フロントバンパ
２              自動車
４              車体
６              バンパ本体
８              縦壁部材
８Ａ            フランジ
２０ａ，２０ｂ  サイドメンバ
２６            グリルフィラパネル
２４ｃ          フェンダパネルの折り返し面
６０ａ，６０ｂ  ランプサポートパネル
７６ａ，７６ｂ  フェンダブラケット
８２            グリルフィラパネル取付フランジ
９０，９２      グリルフィラパネルブラケット
Ｆ１，Ｆ２      フェンダパネル取付フランジ
【図１】
0003551040.tif 000002
【図２】
0003551040.tif 000003
【図３】
0003551040.tif 000004
【図４】
0003551040.tif 000005
【図５】
0003551040.tif 000006
【図６】
0003551040.tif 000007